(57)【特許請求の範囲】
【請求項１】
上擬餌部（ａ１）と下擬餌部（ａ２）とから擬餌体（Ａ）を構成し、その上擬餌部において、中央の底部を残して凹部（２）を構成し、且つその凹部の底部に小径の内部通孔（１）を開穿すると共に、凹部（２）と連通するロック解除棒差し込み孔（２１）を胴部に開穿し、弾性体（３）を凹部（２）の上部より底部まで挿入し、且つ又その弾性体（３）の上部よりスライド兼用ストッパー筒体（４）を上下にスライド自在にして凹部（２）に挿入し、上擬餌部（ａ１）の内部通孔（１）、弾性体（３）及びスライド兼用ストッパー筒体(4)の中心に上部止環接続用連結杆（５）を通し、その上部止環接続用連結杆の下端にある釣針付芯杆連結部（９）を、上擬餌部（ａ１）と下擬餌部（ａ２）との接触部分の近くに位置して、傘状釣針（１４）を備えると共に下擬餌部（ａ２）の中心に通した釣針付芯杆（６）の連結杆引掛鉤部（１１）に回動自在に引掛け、上擬餌部（ａ１）の頂面より突出した上部止環接続用連結杆（５）の係止鉤(7)に上部止環（８）を取り外し自在に係止し、弾性体（３）の弾撥力によって上擬餌部（ａ１）)の下端と下餌部（ａ２）の上端が常時接触してなるイカ釣針であって、凹部（２）にスライド兼用ストッパー筒体（４）を押し込んで圧接固定し弾性体（３）を圧縮した状態において、ロック解除棒差し込み孔（２１）にロック解除棒（２０）を差し込んでスライド兼用ストッパー筒体（４）と凹部（２）との圧接固定を解除するように構成したイカ釣針。
【発明の詳細な説明】
【０００１】
【発明の属する技術分野】
本発明は機械釣りに使用されるイカ釣針に関する。
【０００２】
【従来の技術】
組立分解が可能で擬餌体が二分割し、ガイドロールに、なじむイカ釣針の先行技術は古く実公昭４５−１６６７１号並びに実公昭４７−３１３５４号公報（以下先行技術第一群と略称する）があり、その公開する技術は上擬餌部と下擬餌部との間に弾性体を挟着して擬餌体を構成するものを示し、擬餌体の中央が弾性体としてあるため常時その弾性体の部分で折り曲がるものでガイドロールに接する時も海中でイカが擬餌体に抱き付く時も折り曲がるイカ釣針である。
【０００３】
更に組立分解が可能で擬餌体が二分割しガイドロールになじむイカ釣針の先行技術文献として実開昭６１−１１５０６７号公報（以下第二先行技術と略称する）を挙げることができる。その技術内容は擬餌体を二分割して上構成部材と下構成部材とを形成し、それらの夫々相対する部分の内一方に凹部を形成すると共に、他方にその凹部に出入自在に嵌合するスライド筒を設ける。
更にその凹部内に、スライド筒と弾撥するバネとを内装すると共に、そのスライド筒内に擬餌体の内部通孔を貫通する止環接続用の連結杆を挿通せしめてスライド筒と上構成部材と下構成部材とを上記止環と連結杆下端の針付き芯杆との間で挟持して成るイカ釣針を公開しているものであると云える。
【０００４】
次に組立分解が可能で擬餌体が二分割し、ガイドロールになじむイカ釣針の先行技術文献として特開平４−１６９１４３号公報（以下第三先行技術と略称する）も挙げることができる。
その内容は擬餌体を上部材と下部材とで構成し、上部材の軸芯に沿って連結杆が埋設一体化されて上部に釣糸連結部が下部には芯杆連結部を形成し、又下部材の軸芯には段付きの縦通孔が貫通開穿され、その縦通孔内に傘状針体を下側に固着した芯棒が挿通されると共に傘状針体の上端と縦通孔における下側の大径孔の上端との間にコイルスプリングと筒体を装着し且芯棒の外周面に巻着した芯杆が縦通孔の軸芯に沿って挿通され、その芯杆上部は下部材の縦通孔上側において上部材の芯杆連結部と掛合せしめて成るイカ釣針を示している。これを要約すれば擬餌体を上下部材で構成し、その下部材に芯棒を挿通して傘状針体を取付け上部擬餌体の上端には釣糸連結部を設けると共に該上部擬餌体と下部擬餌体との合せ部において屈折可能にしたイカ釣針を示しているものである。
【０００５】
更に、イカ釣針の組立分解作業に関する先行技術としては実公平２−５７３２号公報（以下第四先行技術と略称する）を挙げることが出来る。その技術的手段は擬餌体の上端或は下端に内部通孔と連通する凹部を設け、該凹部内に弾撥発条を介してスライド筒を内設すると共に、そのスライド筒内に、内部通孔を貫通する止環接続用の連結杆を通過せしめてスライド筒と擬餌体を上記止環と、連結杆下端の針体を取付けた芯杆との間に挟持し、スライド筒の外面端に上記弾撥発条の弾撥カに抗して凹部内に進入させたさいに、凹部内面に嵌合係止する漸増傾斜面を形成すると共に、内孔を連結杆の回動に伴って回動する偏平形としたイカ釣針が示されている。
【０００６】
又、イカ釣針の一つの理想形である餌として異物観のないものが望まれている。
この理想形の技術文献として特公昭５９−４０４０７号公報（以下第五先行技術と略称する）がある。その技術手段を要約すれば、擬餌体の下部に傘状に釣針を埋設した技術を示すものであるが、ここには釣針付き芯杆など全く使用する技術手段はなく、まさしく擬餌体と一体観をみせ全体が擬餌そのものの技術を示している。この技術の実施例は棒状擬餌体を示しているが紡錘形の擬餌体に利用されているものである。
【０００７】
前記先行技術第一群、第二先行技術第三先行技術並びに第四先行技術群が有する技術的課題に対し、その課題を解決し加えて第五先行技術の理想のイカ釣針の技術を利用した先行技術、即ち本件特許願の発明者の発明に係る平成８年９月１８日付特許出願、特願平８−２８２８４１号｛（出願日平成９年３月１２日付で優先権主張に依り、特願平９−９９５４１号となる。）（以下先願技術と略称する。）｝がある。
その発明の要旨を示せば、中央に凹部を備え、且、その中心底部に内部通孔を開穿して上擬餌部を形成し、その上擬餌部の下端に下擬餌部を添着して擬餌体を構成すると共に該凹部内に弾性体を介してスライド兼用ストッパー筒体を内設し、このスライド兼用ストッパー筒体は上擬餌部が半折されると弾性体を押圧しながら凹部の上部に圧設固定し、その押圧された弾性体は外部から刺激が与えられると反発してスライド兼用ストッパー筒体を押上げる機構とし、且、これら下擬餌部と上擬餌部の内部通孔と弾性体とスライド兼用ストッパー筒体との中心に上部止環接続用連結杆を串刺し、その上部止環接続用連結杆の下端にある釣針付芯杆連結部を上擬餌部と下擬餌部との添着部分に位置して傘状釣針を備えた釣針芯杆の連結杆引掛鉤部に回動自在に引掛けると共に上部止環接続用連結杆の係止鉤に上部止環を着脱自在に係止して成るイカ釣針である。
【０００８】
【発明が解決しようとする課題】
上記した先行技術第一群は上擬餌部と下擬餌部の間に弾性体を挟着して成る擬餌体を特徴とするイカ釣針であるが、図面からも理解できるように、止環を連杆（連結杆）から取り外したり嵌めたりする組立分解時に連杆（連結杆）の上端が擬餌体から飛び出した状態が静止しそしてそれを持続させる機構、即ち擬餌体に凹部を持ちその凹部にスライド兼用ストッパー筒体を圧接又は分離させて組立分解を容易にする機構、並びに凹部とスライド兼用ストッパー筒体とが圧接状態となった場合にも容易に圧接状態を分離させることのできるロック解除棒差込孔を備えていない、そのため組立分解時に常に弾性体を押しつぶしている必要があり、したがって弾性体を押しつぶす両手と部品を、組立分解する両手の二組の両手が必要であるところを人は両手しかないので、両手のみで行うようになり、組立分解に高度なテクニックが必要となるものであり、特に漁師が使用中か使用後の分解組立する時など擬餌体にイカのぬるが付いており更に分解再組立の作業に困難性があり、しかも秋冬の季節で寒い時など手が悴んだ一方の手で弾性体を圧縮するため擬餌体を押し続ける作業はやりにくく、且、他方二本の針金が双方とも内側に折り曲げ湾曲せしめて成る係止鉤に係止している上部止環を取り外す作業もやはり悴んでいる他方の手で行うため更に困難性があり、組立分解時に擬餌体の凹部にスライド兼用ストッパー筒体を分離するロック解除棒差込み孔の機構がないために組立分解を困難にする課題（以下主課題と略称する。）があった。
【０００９】
又、弾性体と針金吊環の芯杆がゴムもしくは軟質合成樹脂製であるため全体として湾曲し
やすく海中にあってイカが力強く擬餌体に当り抱き付くと擬餌体は折り曲り傘状針体（釣針付芯杆）が横を向き、それによって傘状針体（釣針付芯杆）に引っ掛ける確率が低下し、且、仮りに引っかかっても傘状釣針の刺りが浅いために、イカ釣針が引き上げられる途中でイカがイカ釣針からはずれると云う課題もあった。（以下第一縦課題と略称する）
【００１０】
また組立分解時に利用する弾性体がゴムであるため老化しやすく更にはイカの口で傷つけられて破損し自然分解する課題（以下第二縦課題と略称する）もある。
【００１１】
加えて上擬餌部と下擬餌部の間に弾性体を挟着して成る擬餌体であるから、その弾性体のために、イカが擬餌体に抱き付くと上擬餌体が沈み自然分解する課題（以下第三縦課題と略称する）があったものである。
【００１２】
また擬餌体の中間に弾性体が用いられているがこれとてガイドロールに必ずしも馴染み易い技術手段でなく、理想的にガイドロールに馴染む技術も要求される課題（以下第四縦課題と略称する）もある。
【００１３】
次に副課題的なものであるが、イカ釣針としての一つの理想形である異物観を与えない技術に付いて、この先行技術第一群は全く実施しておらず、又実施可能な構造でもなく、この点の課題（以下第一副課題と略称する）もある。
【００１４】
加えて第二先行技術であるが要するに擬餌体を上構成部材と下構成部材の二部材で形成する技術手段を公開しているものである。
この第二先行技術も第一先行技術群と同様な主課題に問題がある。要するに考案が解決しょうとする問題点は集魚効果を向上させるべく色合いの変更やバランスの変更を行うに際して擬餌体全体を交換する必要性がない実用的なイカ釣針を提供せんとするものであり、その問題点を解決するための手段は、上記問題点を解決するために講じた技術的手段即ち擬餌体を上下に二分割して上下構成部材を形成し、上下構成部分の夫々相対する部分の内一方に凹部を凹設形成すると共に、他方にその凹部内に出入り自在に嵌合するスライド筒を設け、その凹部内に、スライド筒を弾撥発条を内装すると共に、そのスライド筒内に擬餌体の内部通孔を貫通する止環接続用の連結杆を挿通せしめて、スライド筒と上下構成部材を、上記止環と連結杆下端の針付き芯杆との間で挟持し、その作用は上構成部材を凹部内の弾撥発条に抗して押し下げることにより連結杆上端を上構成部材から突出させる組立分解技術を示している。
更に組立終了後において止環の回動力をスライド筒或は下構成部材に伝達させることにより凹部内面との係合関係を解いて上構成部材を元の位置に復原させるべく設けられた偏平孔であると記載されている。これを要約するに、まず上構成部材を凹部内の弾撥発条に抗して押し下げることにより連結杆の上端を上構成部材から突出させ、スライド筒をその凹部内面に嵌合係止させて、連結杆の上端を上構成部材から突出させ組立分解作業を容易にすることを示し止環の回動力をスライド筒或いは下構成部材に伝達させることにより凹部内面とスライド筒との係合を解いて上構成部材を元の位置に復元させる技術を公開している。
しかしスライド筒が凹部の内面に圧接しすぎた時には止環の回動ができない場合があり、スライド筒が凹部の内面から分離しない主課題がある。
詳しくは、単なる回転運動を与えるだけでは圧接しているものにカの変化を与える運動ではないことは物理的にみて明らかである。回転するだけだから同じカの状態を続けさせているに過ぎない、圧接している状態ならば圧接し続けるだけである。
加えて圧接嵌合状態にあるものに回転運動を与えると、両者はむしろ食い込み合う状態となり圧接性を更に強める傾向があるもので、スライド筒と凹部とが分離し得ない時には、そのスライド筒と凹部の圧接状態を解除する手段のない決定的な欠点のある課題がある。
また凹部にスライド筒を圧接させるためには要するに上構成部材内か下構成部材内かにある弾撥発条を押圧するのであるが、上構成部材を下に直線的に押圧するものであるため、即ち加えるカが直線的であるから弱く作業者に必要以上の力が要求される欠点もあり、これを防止するために弾撥発条の弾撥カを弱くすれば、上下構成部材で構成する擬餌体の保形性が、保てない欠点が生ずる。
またスライド筒の横断面形を多角形状とすることも示しているが、多角形状などにしたら回転摩擦に耐えられず磨耗して自然分解の原因になりかねない欠点が生じる。
上構成部材（上擬餌部）にしろ下構成部材（下擬餌部）にしろ弾撥発条に依って支えられているものであるから擬餌体に、イカが抱き付く力は常にその弾撥発条にかかる構成になっている。
したがってイカの抱き付く力に依って上構成部材中であれ、下構成部材中であれ弾撥発条は圧縮される構造であるために、自然分解する決定的な欠陥があり、イカ釣針として使用し得ない程の第三縦課題を有するものである。
【００１５】
これを防止するためには弾撥発条弾力性の少ない弾撥発条を用いる必要があり、そのため例えば上構成部材を凹部内面に嵌合係止させるためには、作業者に力強い押圧力が要求され、それとて圧接する保障もなく、しかも作業者のカが入り過ぎると凹部内面にスライド筒が入り過ぎ、擬餌体もしくはスライド筒を破損する（以下第二副課題と略称する。）課題もある。
更には擬餌体の下端と傘状釣針（釣針付芯杆）の上端部分で折り曲がり機構とするためイカが擬餌体に抱き付くと擬餌体と傘状釣針のところで曲り第一縦課題があると共にあまり折り曲り角度も取れない欠点があるのでガイドロールに必ずしも理想状態で接触できず、この点でも第四縦課題をかかえているものである。
加えて副課題について先の先行技術同様、第一副課題並びに第二副課題についても課題がある。
【００１６】
続いて第三先行技術は海中を上下方向に移動する仕掛けに取付けられたイカ釣針に対しイカは擬餌体に抱き付くような形で当るがその当りによって擬餌体下側の傘状針体（釣針付芯杆）が屈折して横を向きそれによって傘状針体に引っ掛ける確率が低下すると共に仮りに引っ掛かかったものでも傘状針体（釣針付芯体）の刺が浅いために、イカ釣針が引き上げられる途中でイカが傘状針体（釣針付芯体）からはずれやすいといった問題があると課題を提起し、これを解決せんとする知識技術を開示せんとしているが実際の実施例又は解決すべき技術手段の説明の項においては、上記課題を解決する手段の開示するものではなく、実際の課題に対し未完成の発明であることが明らかのものである。
その課題に対し未完成部分を示せば、第１図に示す実施例では擬餌体の下部材は直接コイルスプリングに支えられたものを示し第２の実施例を示す第６図に於いては、ゴムパッキングで擬餌体を支えている技術手段が示されている。
これではイカが擬餌体に強く抱き付くと擬餌体が下方へ落ちてゆく構造であり、第三縦課題があることを示し、しかも長期使用すれば、コイルスプリングもゴムパッキングも老化するものであり、自然分解をする可能性のある構造のもので、ここでは第二縦課題のあることを示しイカ釣針の物品として課題が多く未完成の発明または物品であることが明瞭に理解できるものである。
重ねて擬餌体と傘状針体との部分ではイカが抱き付いても折り曲り作用はなく擬餌体部分が折り曲るのは、ドラム周面を通過する時のみ略く字形に屈折し、いかにも全体としてイカが抱き付いても屈折しない技術を公開したかの如く、発明の効果の項に記載している。
しかしその技術手段の開示なく、単に希望的な記載にすぎず、しかもドラム周面を通過する時、擬餌体が折り曲るのであれば、強く擬餌体に、イカが抱き付いても折り曲るのが普通である。
この点からも未完成の発明に係る先行技術であることが理解でき第四縦課題についても課題があると云わざるを得ないものである。
更にこの第三先行技術には組立分解に関する技術手段がなく、イカ釣針の組立分解技術について主課題もあるものである。
次には副課題であるが第一副課題についてはある程度解決しているが第二副課題は全く実施することができない課題がある。
【００１７】
第四先行技術は要するに、イカ釣針の組立分解を容易にせんとする工夫を示す技術手段ではあるが、イカ釣針の組立分解の技術手段としてもまだ課題のある技術手段である。即ちスライド筒の漸増傾斜面とする技術思想の反映がどの位置でストッパーとなり、又どの位置ではスライダーの役目をするものであるかの技術手段的の解決がされてなく、また軟質チューブ状としてこれを偏平形にし、回動することに依ってストッパーとするなど二段がまえの組立分解の技術でしかなく、先の先行技術群同様に主課題があるものである。
更に弾撥発条が擬餌体に直接に接しているため第三縦課題もある技術手段であり又、擬餌体の下端で芯杆の上端が接して回動するものであるから第四縦課題もある。
そして第一副課題並びに第二副課題についても課題が存在する課題多きイカ釣針である。
【００１８】
最後に先願技術であるが、先にも説明したように要約すれば、中央に凹部を備え且、その中心底部に内部通孔を開穿して上擬餌部を形成し、その上擬餌部の下端に下擬餌部を接触して擬餌体を構成すると共に該凹部内に弾性体を介してスライド兼用ストッパー筒体を内設し、このスライド兼用ストッパー筒体は上擬餌部が半折されると弾性体を押圧しながら凹部の上部に圧接固定し、その押圧された弾性体は外部から刺激が与えられると反発してスライド兼用ストッパー筒体を押上げる機構とし且、これら下擬餌部と上擬餌部の内部通孔と弾性体とスライド兼用ストッパー筒体との中心に上部止環接続用連結杆を串刺し、その上部止環接続用連結杆の下端にある釣針付芯杆連結部を上擬餌部と下擬餌部との接触部分に位置して傘状釣針を備えた釣針芯杆の連結杆引掛環鉤部に回動自在に引掛けると共に上部止環接続用連結杆の係止鉤に上部止環を着脱自在に係止して成るイカ釣針であるが、上記スライド兼用ストッパー筒体が凹部内の内面に必要以上に圧接すると弱い刺激ではそのスライド兼用ストッパー筒体は凹部の内面から分離しにくい課題（以下新課題と略称する。）があることがある。
【００１９】
【課題を解決するための手段】
上記課題群を解決するための手段とイカ釣針自身が持つ理想型態のために本発明が講じた技術手段は主課題と新課題の解決のために、具体的には上擬餌部（ａ１）と下擬餌部（ａ２）とから擬餌体（Ａ）を構成し、その上擬餌部において、中央の底部を残して凹部（２）を構成し、且つその凹部の底部に小径の内部通孔（１）を開穿すると共に、凹部（２）と連通するロック解除棒差し込み孔（２１）を胴部に開穿し、弾性体（３）を凹部（２）の上部より底部まで挿入し、且つ又その弾性体（３）の上部よりスライド兼用ストッパー筒体（４）を上下にスライド自在にして凹部（２）に挿入し、上擬餌部（ａ１）の内部通孔（１）、弾性体（３）及びスライド兼用ストッパー筒体(4)の中心に上部止環接続用連結杆（５）を通し、その上部止環接続用連結杆の下端にある釣針付芯杆連結部（９）を、上擬餌部（ａ１）と下擬餌部（ａ２）との接触部分の近くに位置して、傘状釣針（１４）を備えると共に下擬餌部（ａ２）の中心に通した釣針付芯杆（６）の連結杆引掛鉤部（
１１）に回動自在に引掛け、上擬餌部（ａ１）の頂面より突出した上部止環接続用連結杆（５）の係止鉤(7)に上部止環（８）を取り外し自在に係止し、弾性体（３）の弾撥力によって上擬餌部（ａ１）)の下端と下餌部（ａ２）の上端が常時接触してなるイカ釣針であって、凹部（２）にスライド兼用ストッパー筒体（４）を押し込んで圧接固定し弾性体（３）を圧縮した状態において、ロック解除棒差し込み孔（２１）にロック解除棒（２０）を差し込んでスライド兼用ストッパー筒体（４）と凹部（２）との圧接固定を解除するように構成したイカ釣針の技術手段がそれである。
これを一口で要約すると先願技術における上擬餌部にロック解除棒差し込み孔を開穿したことである。
従って上擬餌部と下擬餌部とを屈折した時に、スライド兼用ストッパー筒体が弾性体に抗して上擬餌部の凹部に圧接し、且上擬餌部と下擬餌部をもとの位置にもどすと上部止環接続用連結杆の係止鉤が上擬餌部の頂面より飛出して、上部止環をその係止鉤に付けたり取り外したりすることができて、したがって組立て分解が容易となり、また擬餌体の凹部内にスライド兼用ストッパー筒体が圧接することによって更に組立分解を容易なものであり、しかもその圧接力が強すぎて凹部とスライド兼用ストッパー筒体が分離しない時には、ロック解除棒差込み孔からロック解除棒を差込んでスライド兼用ストッパー筒体に突上げ作用を与えて、その擬餌体の凹部とスライド兼用ストッパー筒体を分離することを可能にした技術手段で技術的主課題と新課題とを解決したものである。
【００２０】
次に第一縦課題と第三課題の解決手段としては、弾性体を上擬餌部と下擬餌部の接触面に、スベリ止め機構を設けること具体的には上擬餌部と下擬餌部の接触部分近くにおいて上擬餌部の底面に凹溝を設け、且、該凹溝に接する凸状突起を下擬餌部の頂面に突設し、この凹溝に凸状突起を接触させて滑り止機構としたことである。下擬餌部の下端を延長して釣針カバー部を設け、その釣針カバー部の下端を釣針付芯杆の釣針折曲部に、当接するか若しくは釣針カバー部を設けない場合は、下擬餌部の下端を釣針付芯杆の釣針頂面に当接させてイカが力強く擬餌体に抱き付いても、擬餌体のどの部分にも折り曲がったりずれ落ちたりする機構部分がない構造であり漁獲に取り逃しのないもので第一縦課題と第三課題も解決しているものである。その要旨は、上擬餌部と下擬餌部で擬餌体を構成し、その擬餌体が、ガイドロールに接すると、浅く折れると共に離れると元に復原し且、深く折れると、スライド兼用ストッパー筒体が擬餌体の凹部内に固定されて、組立分解を可能にすると共に、スライド兼用ストッパー筒体を突上げるかして、その擬餌体とスライド兼用ストッパー筒体とを分離させ且、また海中に於いてイカが擬餌体に抱き付いても、変形することのない滑り止め機構を設けて解決している。
【００２１】
又、第二縦課題については、弾性体を上擬餌部内に内包する手段により解決した。
即ち弾性体は上擬餌部内にあるため露出せず、従ってイカの口等によって傷めつけられることなく第二縦課題も解決した。
【００２２】
且又第四縦課題であるが上擬餌部と下擬餌部を９０°近く屈折しても元に戻る機構を採用して解決した。
即ちスライド兼用ストッパー筒体が上擬餌部内で弾性体のため９０°近く屈折するまで、スライド作用する。このため通常常識的にガイドロールと接するに必要な角度は４５°前後程度であるから擬餌体はガイドロールになじみ、元にも容易に復原するため第四縦課題も解決している。
【００２３】
第一副課題はイカ釣針として異物観防止策であり、下擬餌部の下部を延長して釣針カバー部を同一体に設けることによって解決している、又釣針カバーを別途に設けることによっても技術的課題を解決している。
【００２４】
又、第二副課題については、スライド兼用ストッパー筒体の頂部を利用し該頂部を大径にして二段ストッパー兼用握柄を設け、これによって第二副課題を技術的に解決したものである。
【００２５】
【発明の実施の形態】
本発明の実施の形態を、図面と共に説明する。まず縦断正面図である図１とその分解図である図２は本発明の実施形態を示すもので基本的、原理的な実施例である。
その具体的な発明を説明するに、上擬餌部（ａ１）と下擬餌部（ａ２）とから擬餌体（Ａ）を構成し、その上擬餌部において、中央の底部を残して凹部（２）を構成し、且つその凹部の底部に小径の内部通孔（１）を開穿すると共に、凹部（２）と連通するロック解除棒差し込み孔（２１）を胴部に開穿し、弾性体（３）を凹部（２）の上部より底部まで挿入し、且つ又その弾性体（３）の上部よりスライド兼用ストッパー筒体（４）を上下にスライド自在にして凹部（２）に挿入し、上擬餌部（ａ１）の内部通孔（１）、弾性体（３）及びスライド兼用ストッパー筒体(4)の中心に上部止環接続用連結杆（５）を通し、その上部止環接続用連結杆の下端にある釣針付芯杆連結部（９）を、上擬餌部（ａ１）と下擬餌部（ａ２）との接触部分の近くに位置して、傘状釣針（１４）を備えると共に下擬餌部（ａ２）の中心に通した釣針付芯杆（６）の連結杆引掛鉤部（１１）に回動自在に引掛け、上擬餌部（ａ１）の頂面より突出した上部止環接続用連結杆（５）の係止鉤(7)に上部止環（８）を取り外し自在に係止し、弾性体（３）の弾撥力によって上擬餌部（ａ１）)の下端と下餌部（ａ２）の上端が常時接触してなるイカ釣針であって、凹部（２）にスライド兼用ストッパー筒体（４）を押し込んで圧接固定し弾性体（３）を圧縮した状態において、ロック解除棒差し込み孔（２１）にロック解除棒（２０）を差し込んでスライド兼用ストッパー筒体（４）と凹部（２）との圧接固定を解除するように構成したイカ釣針である。
その要旨を要約すれば上擬餌部（ａ１）の適宜位置に、ロック解除棒差込み孔（２１）を開穿することであり、より具体的には凹部（２）にスライド兼用ストッパー筒体（４）が圧接した時に、そのスライド兼用ストッパー筒体（４）の最下端が位置する上擬餌部（ａ１）にロック解除棒差込み孔（２１）を開穿する。その孔の数は必ずしも二個とは限らず１〜数個開穿して実施するものである。
且、そのロック解除棒差込み孔の大きさは、ロック解除棒（２０）が入いるほぼ５ｍｍ〜１０ｍｍ程度の孔とし又ロック解除棒（２０）の素材は合成樹脂製を原則とするが針金又は釘等でもよい。
次に図３乃至図７に示めす発明は本発明実施に係る実施例を示すもので、図３はその縦断正面図であり、図４はガイドロールに接した状態を示すものであり、図５は上擬餌部（ａ１）と下擬餌部（ａ２）の接触部を屈折した状態の縦断正面図である。又、図６はスライド兼用ストッパー筒体（４）に対しロックの解除棒差込み孔（２１）からロック解除棒（２０）を差し込み、突き上げた時の状態を示す縦断正面図であり図７は分解図である。その発明の実施例要旨を示せば中央に凹部（２）を備え、且、その中心に内部通孔（１）を開穿すると共に、胴側壁にロック解除棒差込み孔（２１）を貫通して上擬餌部（ａ１）を形成し、その上擬餌部の下端にある凹溝（ｂ１）に下擬餌部（ａ２）の凸状突起（ｂ２）を接触して擬餌体（Ａ）を構成すると共に、該凹部内に弾性体（３）を介して、スライド兼用ストッパー筒体（４）を内設し、このスライド兼用ストッパー筒体は上擬餌部（ａ１）が屈折されると弾性体（３）を押圧しながら凹部の上部に圧接固定し、ロック解除棒差し込み孔（２１）よりロック解除棒（２０）を差し込んでスライド兼用ストッパー筒体（４）の下部を突き上げると、その弾性体（３）は拡大方向に反発して凹部（２）とスライド兼用ストッパー筒体（４）との圧接固定が解除され、そのスライド兼用ストッパー筒体は凹部（２）内を押上げる機構とし、且又、これら上擬餌部（ａ１））の内部通孔（１）と弾性体（３）とスライド兼用ストッパー筒体（４）との中心に上部止環接続用連結杆（５）を通し、その上部止環接続用連結杆の下端にある釣針付芯杆連結部（９）を上擬餌部（ａ１）と下擬餌部（ａ２）との接触部分に位置して傘状釣針（１４）を備えた釣針付芯杆（６）の連結杆引掛鉤部（１１）を回動自在に引っ掛けると共に上部止環接続用連結杆（５）の係止鉤（７）に上部止環（８）を着脱自在に係止して成るイカ釣針の実施例である。
図８と図９は本発明を利用した他の実施例を示すものでその特徴とするところは、釣針カバー部（ａ３）を下擬餌部（ａ２）と分離して用いることと着色用カバー補助体（１７）を用いている点である。
更に図１０と図１１は本発明を実施する縦断正面とその分解図を示すもので本発明群のなかで最も具体的発明実施の一つである。
そしてその要部とするところは、下擬餌部（ａ２）の下端を延長して釣針カバー部（ａ３）を同一体に延設したことである。又、図１２は他の実施例を示す縦断正面図で、その要旨とするところは、スライド兼用ストッパー筒体（４）の頂部を、二段ストッパー兼用握柄（１８）に成形したことである。
図１３は図１２と同様に他の実施例を示めす縦断正面図で、要するに、スライド兼用ストッパー筒体（４）の頂部に二段ストッパー兼用握柄（１８）をより握りよく成形したものを示すものである。
図１４は本発明実施について傘状針体（１４）を三段にして実施することを示す実施例の縦断正面図である。
【００２６】
また、本発明のイカ釣針に用いる擬餌体（Ａ）の材料は硬質合成樹脂製を主体とし、ときには鉛または軟質合成樹脂製であってもよい。
【００２７】
更に上擬餌部（ａ１）と下擬餌部（ａ２）は重量を求める場合には主として金属製（例えば鉛又は真鍮）とし、軽量またやや重くしたい場合は旧来から用いられている木製、骨製、ガラスなどでもよい。
又、これらの組み合わせに依って重量を自由に選択することもできる。
【００２８】
更に擬餌体（Ａ）の他の例を図面と共に説明すれば、図１５及び図１６の例は上擬餌部（ａ１）は合成樹脂で作り、下擬餌都（ａ２）は凸状突起（ｂ２）を備えた、おもり取付体（３２）の外側に金属製おもり（３３）を一体にして形成したものである。
又、図１７から図２１に示すイカ釣針は上擬餌部（ａ１）を金属製とし、下擬餌部（ａ２）は、擬餌部用金属製おもり（３０）と夜光体（３１）を雌受体（ｂ３）と雄受体（ｂ４）とで合体機構（Ｂ２）で構成せしめて一体化するものである。
他の例としては、下擬餌部（ａ２）を金属製のみで作成して用いることもできる。
【００２９】
図２２乃至図２６図に示す他のイカ釣針における擬餌体（Ａ）を説明するに上擬餌部（ａ１）は金属製パイプ（３４）と、その頂面より内部通孔（１）とそれと連通する凹部（２）とロック解除棒差し込み孔（２１）とを備えた合成樹脂製のスライド兼用ストッパー筒体受（２５）を嵌合し、底辺からは中心に通孔（２４）を具有し、しかも下部には凹溝（ｂ１）を設けた合成樹脂製のおもり受体（２６）を浅く嵌合して、スライド兼用ストッパー筒体受（２５）と、おもり受体（２６）との間にはおもり受室（２７）を形成せしめる。下擬餌部（ａ２）は頂部に下部帽体（２８）と下部金属製おもり（３５）とそのおもりを受ける下部受体（２９）とで構成し、それぞれの中心には釣針付芯杆（６）の通路穴を開穿しているものである。
【００３０】
擬餌体（Ａ）及び着色用カバー補助体（１７）の着色についても選択は自由で赤色、乳白色、黒色等を用い透明性についても、透明、半透明、不透明等自由に選択できるものである。
且つ、上擬餌部（ａ１）と下擬餌部（ａ２）の色合も自由で同色、又は異色の組み合わせでもよいものであり後記する釣針カバー（ａ３）及び着色用カバー補助体（１７）と相まって自由に色の選択をするものである。
且又、擬餌体が硬質合成樹脂材であるときは、実公平１−２７６５７号公報に示されるように表面内側又は正面近くに、線状、球状、花火状等微細な気泡によって、ヒビ割れ感模様を付いてもよいものである。
【００３１】
更に滑り止め機構（Ｂ）は図３乃至図１６の図面と共に説明すると、上擬餌部（ａ１）の下端を凹溝（ｂ１）に形成し、下擬餌部（ａ２）の上端にその凹溝に嵌合し得る凸状突起（ｂ２）を突設して構成しているが、これは一方の擬餌部が凹溝（ｂ１）であるときそれに対応する他方が凸状突起（ｂ２）であれば良い。
凹部（２）とスライド兼用ストッパー筒体（４）のストッパー関係は傾斜面を利用し合体化して固定するものであるが、各図面においては、スライド兼用ストッパー筒体（４）を上端より下端にゆくに従って小径とし楔状筒体に形成しており、凹部（２）内に圧接固定したりはずしたりするようにしてあるが前とは逆に凹部（２）内面を上端から下端に向って小径孔として、スライド兼用ストッパー筒体（４）は単なる同径筒体でもよい。
【００３２】
更に大型イカ釣針、例えば全長２９ｃｍ前後（以下大型イカ釣針と略称する）ものと全長１８ｃｍ前後の中型イカ釣針（以下中型イカ釣針と略称する）に本発明を実施化する場合を図１７乃至図２６をもって説明すれば、まず図１７乃至図２１の実施例は、図７乃至図１１と同様であり、その組立使用できる状態の図１７を中心に説明するに、上擬餌部（ａ１）は金属製とし、下擬餌部（ａ２）は擬餌部用金属製おもり（３０）並びに夜光体（３１）とから作り、これらを一体化し擬餌体（A）とする。
その詳細な構成は中央に凹部（２）を備え、且、その中心に内部通孔（１）を開穿すると共に胴側壁にロック解除棒差し込み孔（２１）を貫通して上擬餌部（ａ１）を形成し、その上擬餌部の下端にある凹溝（ｂ１）に下擬餌部（ａ２）の凸状突起（ｂ２）を接触して擬餌体（A）を構成すると共に、該凹部内に弾性体（３）を介してスライド兼用ストッパー筒体（４）を内設し、このスライド兼用ストッパー筒体は上擬餌部（ａ１）が屈折されると弾性体（３）を押圧しながら凹部の上部に圧接固定し、ロック解除棒差込み孔（２１）よりロック解除棒（２０）を差し込んでスライド兼用ストッパー筒体（４）を突き上げると、その弾性体（３）は拡大方向に反発して凹部（２）とスライド兼用ストッパー筒体（４）との圧接固定が解除され、そのスライド兼用ストッパー筒体（４）は凹部（２）内を押し上げる機構とし且又、これら下擬餌部（ａ２）と上擬餌部（ａ１）の内部通孔（１）と弾性体（３）とスライド兼用ストッパー筒体（４）との中心に上部止環接続用連結杆（５）を挿入し、その上部止環接続用連結杆の下端にある釣針付芯杆連結部（９）を上擬餌部（ａ１）と下擬餌部（ａ２）との接触部分に位置して傘状釣針（１４）を備えた釣針付芯杆（６）の連結杆引掛鉤部（１１）を回動自在に引掛けると共に上部止環接続用連結杆（５）の係止鉤（７）に上部止環（８）を着脱自在に係止して成るイカ釣針の実施例である。
又、擬餌体（A）の上擬餌部（ａ１）と下擬餌部（ａ２）の分割比は自由に必要に応じて選択し得るものとする。擬餌部用金属製おもり（３０）は具体的には真鍮製である。
上擬餌体（ａ１）の材料も真鍮製であり、その真鍮製の部分には必要によっては、銀色等の適宜色のメッキをほどこしてもよいものである。
且、又擬餌部用金属おもり（３０）と夜光体（３１）からなる下擬餌部（ａ２）はすべてを金属製で用いてもよい。
【００３３】
次に図２２と図２４と図２５の実施例は図１７乃至図２１に示す大型イカ釣針と同様で図２２を中心に説明すれば、上擬餌部（ａ１）に特徴を有し、その特徴は金属製パイプ（３４））に頂面より、上部はロック解除棒差込み孔（２１）を備えた樹脂製のスライド兼用ストッパー筒体受（２５）を中間位置まで挿入して一体化し、その金属製パイプ（３４）の底辺からは中心部に通孔（２４）を有し、しかも下面に凹溝（ｂ１）を備えたおもり受体（２６）を浅く嵌合せしめ、スライド兼用ストッパー筒体受（２５）の下面と、おもり受体（２６）の上面との中間に位置しておもり受室（２７）を構成せしめたものであり、図２２の実施例は、その金属製おもり通孔（２３）を備えた金属製おもり（２２）を内包した状態を示し、図２４の実施例は、おもり受室（２７）を空室して使用する場合を示すものである。
従ってこれ等の実施例は金属製パイプ（３４）と、そのパイプの中間点近くまでその頂面より（内部通孔（１）と、それと連通する凹部（２）とロック解除棒差し込み孔（２１）を備えた）合成樹脂製のスライド兼用ストッパー筒体受（２５）を嵌合し底辺から中心に通孔（２４）を具有し、しかも下部には凹溝（ｂ１）を設けた合成樹脂製のおもり受体（２６）を浅く、嵌合して（スライド兼用ストッパー筒体受（２５）とおもり受体（２６）との間におもり受室（２７）を形成して）成る上擬餌部（ａ１）と、頂部に下部帽体（２８）並びに下部金属製おもり（３５）並びにおもりを受ける下部受体（２９）とで構成し、各それぞれの中心に釣針付芯杆（６）の通路孔を設けて成る下擬餌部（ａ２）とで擬餌体（A）と構成すると共に、該上擬餌部（ａ１）と下擬餌都（ａ２）の接触面に滑り止め機構（Ｂ）を設け、その上擬餌部（ａ１）に上端より内部通孔（１）とそれに連通する凹部（２）を刻設し、該凹部内に弾性体（３）とスライド兼用ストッパー筒体（４）を収納すると共に内部通孔（１）並びに凹部（２）とおもり受体（２６）の通孔（２４）とに上部止環接続用連結杆（５）を通過せしめ且、下擬餌部（ａ２）は下部帽体（２８）と下部金属製おもり（３５）並びに下部受体（２９）からなり、又釣針付芯杆（６）を貫挿せしめて、その釣針付芯杆の上端を前記上部止環接続用連結杆（５）の釣針付芯杆連結都（９）に上擬餌体（ａ１）と下擬餌体（ａ２）の接触部分近くに位置して回動自在に連結せしめると共に、その上部止環接続連結杆（５）の係止鉤（７）又は上部止環（８）を着脱自在に係止してなるイカ釣針を示したものである。また、擬餌体（Ａ）の上擬餌部（ａ１）と下擬餌部（ａ２）の分割比は、これも自由に必要に応じて選択し得るものとする。
【００３４】
滑り止め機構（Ｂ）について中型イカ釣針と大型イカつり針とも図３乃至図１１と同様に上擬餌部（ａ１）の下端を凹溝（ｂ１）に形成し、下擬餌部（ａ２）の上端にその凹溝に嵌合し得る凸状突起（ｂ２）を突設して構成しているが、これは一方の擬餌部が凹溝（ｂ１）であるときそれに対応する他方が凸状突起（ｂ２）であればよい。
且、凹部（２）とスライド兼用ストッパー筒体（４）のストッパー関係も図３乃至図１１と同様に傾斜面を利用し合体化して固定するものであるが、スライド兼用ストッパー筒体（４）を上端より下端にゆくに従って小径とし楔状筒体に成形しており、凹部（２）内に圧入固定したりはずしたりするようにしてあるが、前とは逆に凹部（２）内面を上端から下端に向って小径孔として、スライド兼用ストッパー筒体（４）は単なる同径筒体でもよいものである。
【００３５】
更にスライド兼用ストッパー筒体（４）の材料は合成樹脂、金属等所望の材料を用いて成形する。
【００３６】
弾性体（３）についても合成樹脂製筒体、ゴム筒体、弾撥発条を用い常にスライド兼用ストッパー筒体（４）を上方に押上げるように作用させてある。
【００３７】
下擬餌部（ａ２）は下端を延長して釣針カバー部（ａ３）と一体形成するか、又下擬餌部（ａ２）と釣針カバー部（ａ３）は図８に示すように分割して作り使用する場合もあるし、図６と図７に示す如く全く釣針カバー部（ａ３）と着色用カバー補助体（１７）を使用しない使用例もある。
この時、下擬餌部（ａ２）に釣針カバー（ａ３）がある場合は、釣針カバー（ａ３）の下端が傘状針体（１４）の曲り部分に接して固定され、下擬餌部（ａ２）に釣針カバー（ａ３）がない時は下擬餌部（ａ２）の下端が傘状針体（１４）の頂面に接して固定するものである。
【００３８】
上部止環接続用連結杆（５）の形成は針金をＵ字状に折曲し下部に釣針付芯杆連結部（９）を形成すると共に上端には両端を内側に丸く曲げ鉤状に折りかえして係止鉤（７）を形成する。
【００３９】
釣針付芯杆（６）の構成は、その釣針付芯杆の中心に芯軸（１０）を固定して上部に連結杆引掛鉤部（１１）を設け、下部には下部止環受部（１２）を作り、この下部止環受部に座金（１５）を介して下部止環（１３）を係合する。
その外周には、一段、二段若しくは図１４に示す三段方式に傘状針体（１４）を座金（１５）を介して串挿する。その傘状針体は適宜数を置き並べて固定リング（１６）で成形する。又、必要によっては更に固定リング（１６）の外側に着色用カバー補助体（１７）を覆被するものである。
更に傘状針体（１４）を図１４に示す三段方式にする場合はその外側に第二着色用カバー補助体（１７´）を用いることもある。
【００４０】
他の実施例として、図８に示すものがありそれは下擬餌部（ａ２）の下端を切りはなし、釣針カバー部（ａ３）を別に製作し釣針カバー部（ａ３）と着色用カバー補助体（１７）をいろいろな色にかえたり同色であったりして用いるものである。
【００４１】
図１２はスライド兼用ストッパー筒体（４）に工夫をほどこしたものを示し具体的には頂部を利用して大きな径として、スライド兼用ストッパー筒体（４）が無理に凹部（２）内に圧入されて上擬餌部（ａ１）の破損をしないように、二段ストッパー作用と握りやすいように、二段ストッパー兼用握柄部（１８）を設けたものである。
【００４２】
図１３は更に二段ストッパーの作用をすると、共に握りよくするための工夫をした二段ストッパー兼用握柄部（１８）を設けたものである。
【００４３】
スライド兼用ストッパー筒体（４）は、寸法取りによっては、凹部（２）との接し方、即ちストッパー作用が異なり例えば上擬餌部（ａ１）と下擬餌部（ａ２）を図５に示す如く９０°近くに屈折した時スライド兼用ストッパー筒体（４）が凹部（２）に圧接固定する場合の各部品の寸法の１例を示すと上擬餌部（ａ１）は５１．５ｍｍ下擬餌部（ａ２）は釣針カバー部（ａ３）を含めて２１ｍｍ、外に凸状突起（ｂ１）が２ｍｍ、上部止環接続用連結杆（５）は５８．５ｍｍ、弾性体（スプリングコイル）（３）は全長３７ｍｍバネ線径０．８ｍｍ、外径６ｍｍ、スライド兼用ストッパー筒体（４）は１７ｍｍ、釣針付芯杆（６）は４０．５ｍｍ、これらを組立てた場合と分解時必要事項の寸法を示せば、上擬餌部（ａ１）とスライド兼用ストッパー筒体（４）の長さは５９ｍｍとなる。又、上擬餌部（ａ１）と下擬餌部（ａ２）を９０°近くに折り曲げた時の上擬餌部（ａ１）とスライド兼用ストッパー筒体（４）の長さはおよそ５３ｍｍとなる。従って５９ｍｍ−５３ｍｍ＝６ｍｍ即ちスライド兼用ストッパー筒体（４）が上擬餌部（ａ１）の凹部（２）内に入ると上擬餌部（ａ１）にスライド兼用ストッパー筒体（４）が圧接しストッパー役をつとめる。
【００４４】
大型イカ釣針の一例の仕上がり寸法を示せば、全長２９０ｍｍ前後とし、そのうち全長２９０ｍｍとした場合について説明すれば、上擬餌部（ａ１）は約１５５ｍｍ、下擬餌部（ａ２）は約５０ｍｍ、釣針付芯杆（６）は、全長が約１２５ｍｍでそのうち下擬餌部（ａ２）への挿入部分が約５３ｍｍ、傘状針体（１４）を受ける部分が７２ｍｍであり、スライド兼用ストッパー筒体（４）は全長が２０ｍｍで、そのうち上擬餌部（ａ１）の頂面より露出する寸法は３ｍｍ、挿入部分は１７ｍｍである。
上部止環（８）は約８ｍｍ凹部（２）も約８ｍｍである。又、上部止環接続用連結杆（５）は約１７０ｍｍである。
上擬餌部（ａ１）の胴部の断面直径は１９ｍｍ前後のもので、重量は３００ｇから１ｋｇ前後のものである。
且、又、作用については前記
【００３９】の項で説明した作用と同じものである。
【００４５】
中型イカ釣針の一例の仕上がり寸法を示せば全長１８５ｍｍ前後としそのうち全長１８５ｍｍとした場合について説明すれば、上擬餌部（ａ１）は約９４ｍｍ、下擬餌部（ａ２）は約２５ｍｍ、釣針付芯杆（６）の全長は約８６ｍｍで、そのうち下擬餌部（ａ２）の挿入部分が約３１ｍｍ、傘状針体（１４）を受ける部分が約５５ｍｍであり、スライド兼用ストッパー筒体（４）の全長が約１８ｍｍでそのうち上擬餌部（ａ１）の頂面より露出する寸法は約８ｍｍ、挿入部分は１０ｍｍである。
上部止環（８）は約８ｍｍ凹部（２）も約８ｍｍである。又、上部止環接続用連結杆（５）は約７０ｍｍである。
上擬餌部（ａ１）の胴部の断面直径は約１９ｍｍであり重量は、約１５０ｇである。
且、又、作用については前記
【００３９】の項で説明した作用と同じものである。
【００４６】
又、スライド兼用ストッパー筒体（４）が上擬餌部（ａ１）内を１〜５ｍｍ間の出入りしている間は、スライドしているのみであり図面で示せば図４でみる如くガイドロール（１９）に接する時であり角度にして上擬餌部（ａ１）と下擬餌部（ａ２）の折れ具合は４５°前後である上擬餌部（ａ１）と下擬餌部（ａ２）とを９０°以上の角度に折り曲げてスライド兼用ストッパー筒体（４）を上擬餌部（ａ１）に圧接しようとする時は、上部止環接続用連結杆（５）を長くするかスライド兼用ストッパー筒体（４）のスライド部分を長くすると共に凹部（２）の径を大きくすることによって行うことができるものでもある。
【００４７】
中型イカ釣針も大型イカ釣針も前記
【００４３】の項と同様に図１８に示す通り図４と同じ作用をする。
【００４８】
擬餌体（A）の上擬餌部（ａ１）と下擬餌部（ａ２）の分割比を変えた場合はそれに応じて上部止環接続用連結杆（５）と釣針付芯杆（６）との寸法も変化し常に上擬餌部（a１）と下擬餌部（a２）とが折り曲る部分で上部止環接続用連結杆（５）と釣針付芯杆（６）は接続するようにするものでもある。
【００４９】
中型イカ釣針も大型イカ釣針も前記
【００４８】の項と同様である。
【００５０】
本発明イカ釣針の組立て方法の一例を示せばまず釣針付芯杆（６）を下擬餌部（a２）に貫挿し、その釣針付芯杆の連結杆引掛鉤部（１１））に上部止環接続用連結杆（５）の釣針付芯杆連結部（９）を回動自在に連結する。
これとは別に、上擬餌部（ａ１）の凹部（２）には、弾性体（３）とスライド兼用ストッパー筒体（４）を順次挿入して、そのスライド兼用ストッパー筒体を凹部（２）内に圧接してセットしておき、これに前記上部止環接続用連結杆（５）を内部通孔（１）、弾性体（３）並びにスライド兼用ストッパー筒体（４）を通過せしめて、図６に示すように、上擬餌体部（ａ１）の頂部より上部止環接続用連結杆（５）の係止鉤（７）を突き出させ、且その係止鉤（７）に上部止環（８）を引掛ける。
この状態において具体的には擬餌体（A）のロック解除棒差込み孔（２１）にロック解除棒（２０）を差込でスライド兼用ストッパー筒体を突上げて押しつぶされていた弾性体（３）はもとの位置に復原し、従ってスライド兼用ストッパー筒体（４）が上擬餌部（ａ１）から飛び出し、しかも係止鉤（７）に上部止環（８）を食い込ませて、係止させ図１、図３、図８、図１０、図１２、図１３図１４、図１７、図２２、図２４又は図２５に示すような状態となり使用し得るイカ釣針となる。
【００５１】
中型イカ釣針と大型イカ釣針とも前記
【００５０】の項と同様である。組立が完了している状態を示す図１、図３、図５、図７、図１２、図１３又は図１４に対応する図が図１７、図２２、図２４又は図２５である。
【００５２】
又、分解する場合は図５に示す通り、上擬餌部（a１）と下擬餌部（a２）を屈折（９０°）するとテコの作用により連結杆引掛鉤部（１１）を中心として上部止環接続用連結杆（５）が引っ張られ、従ってスライド兼用ストッパー筒体（４）も弾性体（３）に抗して上擬餌部（a１）の凹部（２）内に引き入れられ且その凹部に圧接固定する。
この状態において、上擬餌部（a１）をおこし下擬餌都（ａ２）と一直線状にすると図６に示すように、上擬餌部（a１）とスライド兼用ストッパー筒体（４）の頂面より上部止環接続用連結杆（５）の係止鉤（７）が飛び出して容易に上部止環（８）が取り外しができるようになり上部止環（８）を取り外し、次に上部止環接続用連結杆（５）を上擬餌部（a１）とスライド兼用ストッパー筒体（４）並びに弾性体（３）から引き抜くことによって分解ができるものである。又、凹部（２）内にスライド兼用ストッパー筒体（４）が圧接固定しているときはロック解除棒差込み孔（２１）にロック解除棒（２０）を差込んでスライド兼用ストッパー筒体（４）の下部を突き上げ、凹部（２）とスライド兼用ストッパー筒体（４）とを分離するものである。
【００５３】
中型イカ釣針も大型イカ釣針も共に分解する場合は前記
【００５２】の項と同じで図５に対応するのが図１９であり、図６に対応するのが図２０である。
【００５４】
【発明の効果】
本発明は上擬餌部（ａ１）と下擬餌部（ａ２）とから擬餌体（Ａ）を構成し、その上擬餌部において、中央の底部を残して凹部（２）を構成し、且つその凹部の底部に小径の内部通孔（１）を開穿すると共に、凹部（２）と連通するロック解除棒差し込み孔（２１）を胴部に開穿し、弾性体（３）を凹部（２）の上部より底部まで挿入し、且つ又その弾性体（３）の上部よりスライド兼用ストッパー筒体（４）を上下にスライド自在にして凹部（２）に挿入し、上擬餌部（ａ１）の内部通孔（１）、弾性体（３）及びスライド兼用ストッパー筒体(4)の中心に上部止環接続用連結杆（５）を通し、その上部止環接続用連結杆の下端にある釣針付芯杆連結部（９）を、上擬餌部（ａ１）と下擬餌部（ａ２）との接触部分の近くに位置して、傘状釣針（１４）を備えると共に下擬餌部（ａ２）の中心に通した釣針付芯杆（６）の連結杆引掛鉤部（１１）に回動自在に引掛け、上擬餌部（ａ１）の頂面より突出した上部止環接続用連結杆（５）の係止鉤(7)に上部止環（８）を取り外し自在に係止し、弾性体（３）の弾撥力によって上擬餌部（ａ１）)の下端と下餌部（ａ２）の上端が常時接触してなるイカ釣針であって、凹部（２）にスライド兼用ストッパー筒体（４）を押し込んで圧接固定し弾性体（３）を圧縮した状態において、ロック解除棒差し込み孔（２１）にロック解除棒（２０）を差し込んでスライド兼用ストッパー筒体（４）と凹部（２）との圧接固定を解除するように構成したイカ釣針であるから、そのイカ釣針を分解するときは擬餌体の上擬餌部と下擬餌部の接触部分で屈折すると連結杆引掛鉤部を中心として上部止環接続用連結杆が引っ張られ、従ってスライド兼用ストッパー筒体も弾性体に抗して上擬餌部の凹部内に引き入れられ、且、スライド兼用ストッパー筒体は凹部に圧接固定される。
この状態において、上擬餌部をおこし下擬餌部と一直線状にすると、図６又は図２０に示すように、上擬餌部をスライド兼用ストッパー筒体の頂面より上部止環接続用連結杆の係止鉤が飛び出して容易に上部止環が取り外しができるようになり、上部止環を取り外し、次に上部止環接続用連結杆を上擬餌部とスライド兼用ストッパー筒体並びに弾性体から引き抜き、且、上擬餌部の凹部内にスライド兼用ストッパー筒体が圧接しているときはロック解除棒差込み孔にロック解除棒を差込んでスライド兼用ストッパー筒体を突き上げ、凹部からスライド兼用ストッパー筒体を分離して分解するもので旧来のイカ釣針の分解のように常時弾性体を押圧し続けて分解をする必要がなく、しかも上擬餌部の凹部にスライド兼用ストッパー筒体が圧接してもロック解除棒差込み孔を利用してロック解除棒を差込んでスライド兼用ストッパー筒体を突き上げるだけで確実に分解することができ、手軽に分解作業ができる効果がある。
又、本発明のイカ釣針の組立作業は、まず釣針付芯杆を下擬餌部に貫通し、その釣針付芯杆の連結杆引掛鉤部に上部止環接続用連結杆の釣針付芯杆連結部を回動自在に連結する。これとは別に上擬餌部の凹部には弾性体とスライド兼用ストッパー筒体を順次挿入して、そのスライド兼用ストッパー筒体を凹部内に圧接してセットしておき、これに前記上部止環接続用連結杆を内部通孔し、弾性体並びにスライド兼用ストッパー筒体を通過せしめて、図６又は図２０に示すように、上擬餌部の頂面より上部止環接続用連結杆の係止鉤を突き出させ、且、その係止鉤に上部止環を引掛ける。この状態においてロック解除棒差込み孔にロック解除棒を差込み、スライド兼用ストッパー筒体を突き上げると押しつぶされていた弾性体が反発してスライド兼用ストッパー筒体が上擬餌部から飛び出し、しかも係止鉤に上部止環を食い込ませて係止し、図１、図３、図８、図１０、図１２、図１３、図１４又は図１５もしくは中型又は大型以下釣針を示す図１７、図２２、図２４、図２５に示すような状態で使用し得るイカ釣針となり、分解作業と同様にその作業、容易性の効果があるものである。
ロック解除差込み孔にロック解除棒を差し込んでスライド兼用ストッパー筒体の下部を突き上げると擬餌体や部品をいためることなく凹部とスライド兼用ストッパー筒体を完全に分離し今までにない組立分解作業を完全化した特有の効果を有する発明である。
又、弾性体を反発力の強いものを使用すれば上擬餌部と下擬餌部とからなる擬餌体であってもイカが力強くその擬餌体に抱き付いても折り曲がったり、ずれたりすることなく、イカの取り逃しがない効果もある。
又弾性体を凹部内に収納しているためイカの口等によって傷めつけられることなく自然分解しない効果もあるものである。
更には一般的、イカの機械釣り装置においてガイドロールは船べりに位置し、巻き取りロールはそのガイドロールより高い位置にあって釣糸を巻き取り又は巻もどし作業をしているのでガイドロールに釣糸が９０°以上の角度に曲がって接することなく、浅い角度で接しており、その中間に位置するイカ釣針も同様である。
本発明のイカ釣針の如く擬餌体が上擬餌部と下擬餌部とが接触したものでも９０°以上の角度でガイドロールと接することなく、小さい角度で折り曲がって接しており、従って擬餌体が引張り強いカでガイドロールに接しても破損するおそれのない効果がある。
【図面の簡単な説明】
【図１】本発明に係わるイカ釣針の原理的、実施の形態を示す縦断正面図である。
【図２】図１に示すイカ釣針の分解図である。
【図３】本発明に係わるイカ釣針の他の実施の形態を示す縦断正面図である。
【図４】本発明のイカ釣針がガイドロールに接する状態を示す縦断正面図である。
【図５】本発明のイカ釣針を分解するために９０°屈折した状態を示す縦断正面図である。
【図６】本発明のイカ釣針に於いて組立てる寸前の状態即ちロック解除棒差込み孔に、ロック解除棒を差込む状態を示す縦断正面図である。
【図７】図３に示すイカ釣針の分解図である。
【図８】本発明の実施に係わる他の実施例を示す縦断正面図でその特徴とするところは、下擬餌部と釣針カバー部と着色用カバー補助体とをそれぞれ独立して作り用いることである。
【図９】図８に示すイカ釣針の分解図である。
【図10】本発明に係わるイカ釣針で、もっとも具体化した状態を示す縦断正面図で、その特徴とするところは、下擬餌部の下端を延長して釣針カバー部を同一体にした例を示すことにある。
【図１１】図１０に示すイカ釣針の分解図である。
【図１２】本発明に係わるイカ釣針の握柄部分に特徴を有す実施の形態を示す縦断正面図である。
【図１３】本発明に係わるイカ釣針の握柄部分に特徴を有し、図１２に対する改良実施の形態を示す縦断正面図である。
【図１４】本発明に係わるイカ釣針の傘状針体を三段方式に実施する形態を示す縦断正面図である。
【図１５】本発明の実施にあたり、下擬餌部に重さを与える実施例の縦断正面図である。
【図１６】図１５のイカ釣針の分解図である。
【図１７】本発明に係わるイカ釣針であるが、その中型イカ釣針と大型イカ釣針とを示す縦断正面図。（中型イカ釣針と大型イカ釣針との差異は寸法長さの差である。）
【図１８】本発明実施の中型イカ釣針と大型イカ釣針がガイドロールに接する状態を示す縦断面図である。
【図１９】本発明の実施の中型イカ釣針と大型イカ釣針を分解するために９０°屈折した状態を示す縦断正面図である。
【図２０】本発明実施の中型イカ釣針と大型イカ釣針と大型イカ釣針の分解、又は組立てる寸前の状態を示す縦断正面図である。
【図２１】図１７の中型イカ釣針と大型イカ釣針に関する分解縦断正面図である。
【図２２】本発明実施の中型イカ釣針と大型イカ釣針の他の実施例である。
【図２３】図２２の分解縦断正面図である。
【図２４】本発明実施の中型イカ釣針と大型イカ釣針であるが上擬餌部におもり受室を設けた図を示す縦断正面図である。
【図２５】図２４のおもり受室に金属製おもりを挿入した状態を示す縦断正面図である。
【図２６】図２４の分解縦断正面図である。
【符号の説明】
Ａ：  擬餌体
ａ１：  上擬餌部
ａ２：  下擬餌部
ａ３：  釣針カバー部
Ｂ１：  滑り止め機構
Ｂ２：  合体機構
ｂ１：  凹溝
ｂ２：  凸状突起
１：  内部通孔
２：  凹部
３：  弾性体
４：  スライド兼用ストッパー筒体
５：  上部止環接続用連結杆
６：  釣針付芯杆
７：  係止鉤
８：  上部止環
９：  釣針付き芯杆連結部
１０：  芯軸
１１：  連結杆引掛鉤部
１２：  下部止環受部
１３：  下部止環
１４：  傘状釣針
１５：  座金
１６：  固定リング
１７：  着色用カバー補助体
１８：  二段ストッパー兼用握柄部
１９：  ガイドロール
１７´：  第三着色用カバー補助体
２０：  ロック解除棒
２１：  ロック解除棒差込み孔
２２：３３：  金属製おもり
２３：  金属製おもり通孔
２４：  通孔
２５：  スライド兼用ストッパー筒体受
２６：  おもり受体
２７：  おもり受室
２８：  下部帽体
２９：  下部受体
３０：  擬餌部用金属製おもり
３１：  夜光体
３２：  おもり取付体
３４：  金属製パイプ
３５：  下部金属製おもり
ｂ３：  雌受体
ｂ４：  雄受体
【図１】
0003573912.tif 000002
【図２】
0003573912.tif 000003
【図３】
0003573912.tif 000004
【図４】
0003573912.tif 000005
【図５】
0003573912.tif 000006
【図６】
0003573912.tif 000007
【図７】
0003573912.tif 000008
【図８】
0003573912.tif 000009
【図９】
0003573912.tif 000010
【図１０】
0003573912.tif 000011
【図１１】
0003573912.tif 000012
【図１２】
0003573912.tif 000013
【図１３】
0003573912.tif 000014
【図１４】
0003573912.tif 000015
【図１５】
0003573912.tif 000016
【図１６】
0003573912.tif 000017
【図１７】
0003573912.tif 000018
【図１８】
0003573912.tif 000019
【図１９】
0003573912.tif 000020
【図２０】
0003573912.tif 000021
【図２１】
0003573912.tif 000022
【図２２】
0003573912.tif 000023
【図２３】
0003573912.tif 000024
【図２４】
0003573912.tif 000025
【図２５】
0003573912.tif 000026
【図２６】
0003573912.tif 000027